【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
建築物に配置された消火器の放出操作又は持ち出しを消火器異状として検出して固有の消火器識別子を含む消火器異状信号を送信する消火器異状検出手段と、通信部と表示部と制御部とを有する端末と、を備える支援システムであって、
前記支援システムは、当該建築物に配設された中継器を介して前記消火器異状信号を受信する支援装置を備え、
前記支援装置は、前記端末と通信回線を介して通信する通信部と、前記消火器識別子と対応する消火器の位置とを関連付けて位置情報として記憶した記憶部と、制御部と、を備え、
前記支援装置の制御部は、前記通信部を介して前記消火器異状信号を受信したときに前記記憶部を参照して当該消火器の位置情報を特定する特定部と、前記特定部が特定した位置情報を前記端末に表示させる要請部と、を備えることを特徴とする支援システム。
【請求項２】
前記要請部は、前記端末に表示させる前記位置情報とともに、現場確認を要請するメッセージを前記端末に表示させ、
前記端末は、前記建築物の自衛消防隊員が携帯し、前記支援装置からの前記メッセージに対して応答する操作部を備え、
前記支援装置の制御部は、前記メッセージに対する前記端末からの応答を受け付ける受付部と、前記受付部が受け付けた応答が火災を確認するものであったときに、火災報知することを指示する指示部と、を備えることを特徴とする請求項１に記載の支援システム。
【請求項３】
前記支援装置の制御部は、前記通信部を介して受信した前記消火器異状信号を前記端末へ送信することを特徴とする請求項１又は２に記載の支援システム。
【手続補正２】
【補正対象書類名】明細書
【補正対象項目名】００１０
【補正方法】変更
【補正の内容】
【００１０】
（１）本発明に係る支援システムは、建築物に配置された消火器の放出操作又は持ち出しを消火器異状として検出して固有の消火器識別子を含む消火器異状信号を送信する消火器異状検出手段と、通信部と表示部と制御部とを有する端末と、を備える支援システムであって、前記支援システムは、当該建築物に配設された中継器を介して前記消火器異状信号を受信する支援装置を備え、前記支援装置は、前記端末と通信回線を介して通信する通信部と、前記消火器識別子と対応する消火器の位置とを関連付けて位置情報として記憶した記憶部と、制御部と、を備え、前記支援装置の制御部は、前記通信部を介して前記消火器異状信号を受信したときに前記記憶部を参照して当該消火器の位置情報を特定する特定部と、前記特定部が特定した位置情報を前記端末に表示させる要請部と、を備えることを特徴とする。
（２）また、本発明に係る支援システムは、（１）において、前記要請部は、前記端末に表示させる前記位置情報とともに、現場確認を要請するメッセージを前記端末に表示させ、前記端末は、前記建築物の自衛消防隊員が携帯し、前記支援装置からの前記メッセージに対して応答する操作部を備え、前記支援装置の制御部は、前記メッセージに対する前記端末からの応答を受け付ける受付部と、前記受付部が受け付けた応答が火災を確認するものであったときに、火災報知することを指示する指示部と、を備えることを特徴とする。
（３）また、本発明に係る支援システムは、（１）、（２）において、前記支援装置の制御部は、前記通信部を介して受信した前記消火器異状信号を前記端末へ送信することを特徴とする。
【手続補正３】
【補正対象書類名】明細書
【補正対象項目名】００１１
【補正方法】変更
【補正の内容】
【００１１】
本発明に係る支援システムによれば、消火器の放出操作又は持ち出しといった異状を覚知し、その位置を端末に表示させるので、消火器異状が検出された位置を把握できる。また、自動的に自衛消防隊を出動させることができるので、火災であった場合は、現場に急行した自衛消防隊員が火災を確認して火災報知させることができると共に初期消火に当たることができ、火災でなかった場合は、誤報を発することなく、消火器を復旧させる等、適切に対応することができるという効果を奏する。
【手続補正４】
【補正対象書類名】明細書
【補正対象項目名】００１８
【補正方法】変更
【補正の内容】
【００１８】
次に、支援装置１１０の構成について、図１、２に基づいて説明する。支援装置１１０は、第１の通信部１１４と、第２の通信部１１３と、記憶部１１２と、制御部１１１とを有する。第１の通信部１１４は、信号線Ｃ１を介して受信機２１０に接続されて制御情報等を通信するインターフェースである。第２の通信部１１３は、信号線Ｃ２と通信回線１３０とを介して端末１２０と制御情報等を通信するインターフェースである。信号線Ｃ２に代えて無線通信で通信回線１３０と接続するようにしてもよい。記憶部１１２は、ＲＯＭ、フラッシュメモリ、ハードディスク等の不揮発性の記憶手段であり、自衛消防隊員の活動を支援するための処理を実行するプログラムを記憶する。制御部１１１は、記憶部１１２に記憶されたプログラムに基づいて支援装置１１０の各部の動作を制御する制御手段である。
【手続補正５】
【補正対象書類名】明細書
【補正対象項目名】００２０
【補正方法】変更
【補正の内容】
【００２０】
特定部１１１ａは、第１の通信部１１４を介して消火器異状信号を受信したとき、受信した消火器異状信号に含まれる消火器識別子に基づいて、後述する記憶部１１２の設置場所データベース１１２ａを参照して、当該消火器、すなわち消火器異状信号を発した消火器異状検出手段Ｔｘに対応する消火器の位置情報を特定する位置特定手段である。
【手続補正６】
【補正対象書類名】明細書
【補正対象項目名】００２１
【補正方法】変更
【補正の内容】
【００２１】
要請部１１１ｄは、第２の通信部１１３を介して端末１２０を携帯する自衛消防隊の隊員へ要請を行う要請画面を端末１２０に表示させる要請手段である。要請部１１１ｄは、特定部１１１ａが特定した位置情報と、現場確認を要請するメッセージと、火災を確認した場合に火災報知する操作を要請するメッセージとを、後述する隊員データベースを参照して登録されている、自衛消防隊の隊員が携帯する前記端末に表示させる。
【手続補正７】
【補正対象書類名】明細書
【補正対象項目名】００２７
【補正方法】変更
【補正の内容】
【００２７】
さらに記憶部１１２は、上記に加えて、隊員データベース（図において「データベース」を「ＤＢ」と表記する）１１２ｂの記憶領域を有する。この隊員データベースには、自衛消防隊の隊員が携帯する端末１２０の識別子を登録しておく。自衛消防隊員の氏名等の個人情報と関連付けて記憶して、それぞれの隊員を識別可能としておいてもよい。
１−１−３．端末の構成
【手続補正８】
【補正対象書類名】明細書
【補正対象項目名】００２８
【補正方法】変更
【補正の内容】
【００２８】
次に、支援システム１００を構成する端末１２０の構成について、図３、４に基づいて説明する。図３は端末１２０の構成を示すブロック図、図４は端末１２０の外観および表示例を示す図である。
【手続補正９】
【補正対象書類名】明細書
【補正対象項目名】００３１
【補正方法】変更
【補正の内容】
【００３１】
端末１２０は、通信部１２３を介して支援装置１１０の要請部１１１ｄからの要請画面を表示させる旨の指令信号を受信した場合、支援装置１１０からの前記指令信号（要請）に基づいた制御部１２１からの指示に応じて、表示部１２５は画面１２５Ｘに要請画面を表示する。例えば、自衛消防隊への現場確認の要請を行う要請画面には、火災確認ボタン１２５ｄ、非火災確認ボタン１２５ｅ、確認不可ボタン１２５ｆ、メッセージ表示１２５ａ、消火器異状が検出された位置を把握できるような該当する消火器周辺の平面地図としてのグラフィック表示１２５ｃ、要請事項表示１２５ｂが表示される（図４参照）。メッセージ表示１２５ａには、支援装置１１０からの要請の内容として、現場確認を要請するメッセージと火災を確認した場合に火災報知する操作を要請するメッセージとが表示される。
【手続補正１０】
【補正対象書類名】明細書
【補正対象項目名】００３７
【補正方法】変更
【補正の内容】
【００３７】
そして、本発明に特有の構成として、防火対象物である建築物に配設されて、消火器異状検出手段Ｔｘからの消火器異状信号を受信して受信機２１０へ伝達するための中継器２４０を備える。消火器異状信号を受信した中継器２４０は、受信した消火器異状信号を受信機２１０へ伝達し、これを受信した受信機２１０は、信号線Ｃ１を介して支援装置１１０へ消火器異状信号を伝達する。すなわち、自火報設備２００は、防火対象物である建築物に配設された中継器２４０を介して消火器異状信号を受信する。
【手続補正１１】
【補正対象書類名】明細書
【補正対象項目名】００４２
【補正方法】変更
【補正の内容】
【００４２】
上記指令信号は、端末１２０の通信部１２３で受信される。この指令信号の上記位置情報は、消火器異状信号に含まれる消火器識別子に基づく位置情報であり、例えば、表示部１２５の画面１２５Ｘにおけるグラフィック表示１２５ｃに、当該消火器の位置（図４の○）を含む近辺の地図情報として表示される（図４を参照）。また、現場確認を要請するメッセージと、火災を確認した場合に火災報知する操作を要請するメッセージとを、端末１２０の表示部１２５の画面１２５Ｘにおけるメッセージ表示１２５ａに表示する。例えば、「△△階廊下の消火器が作動しました。現場を確認して報告してください。」と表示する。そして、火災確認ボタン１２５ｄ、非火災確認ボタン１２５ｅ、確認不可ボタン１２５ｆを表示し、要請に対する応答の入力による報告を促す。この場合、火災確認ボタン１２５ｄが、火災報知する操作に該当する。すなわち、火災を確認した場合に火災報知する操作を要請するメッセージは、端末１２０の操作部１２４において火災確認ボタン１２５ｄを操作することを意味する「火災を確認する操作」を行うものである。
【手続補正１２】
【補正対象書類名】明細書
【補正対象項目名】００５４
【補正方法】変更
【補正の内容】
【００５４】
１００…支援システム、１１０…支援装置、１１１…制御部、１１１ａ…特定部、
１１１ｂ…指示部、１１１ｃ…受付部、１１１ｄ…要請部、１１２…記憶部、
１１２ａ…設置場所データベース、１１２ｂ…隊員データベース、
１１３…第２の通信部、１１４…第１の通信部、１２０…端末、１２１…制御部、
１２２…記憶部、１２３…通信部、１２４…操作部、１２４ａ…タッチパネル、
１２５…表示部、１２５Ｘ…画面、１２５ａ…メッセージ表示、
１２５ｂ…通知事項表示、１２５ｃ…グラフィック表示、１２５ｄ…火災確認ボタン、
１２５ｅ…非火災確認ボタン、１２５ｆ…確認不可ボタン、
１３０…通信回線、２００…自火報設備、２１０…受信機、２２０…信号線、
２３０…火災感知器、２４０…中継器、
Ｅｘ…消火器、Ｔｘ…消火器異状検出手段、Ｗ…消火器異状信号、Ｈ…消火器操作者、
Ｃ１、Ｃ２…信号線、Ｃ３…無線通信回線